(57)【要約】【課題】ユーザが煩雑な操作を行うことなく機器の操作情報やコンテンツヘの演出情報等の制御情報を他のユーザと共有する。【解決手段】第１のユーザのプライベートサーバ１１は当該第１のユーザにより当該プライベートサーバ１１内に置かれた、非公開と指定されていない制御対象機器用制御情報をパブリックサーバ２５の当該第１のユーザのページに公開する。この公開された制御情報は、第２のユーザの指示に従って第１のユーザのページから第２のユーザのプライベートサーバに取り込まれ、第２のユーザの指示に従って当該制御情報により第２のユーザの制御対象機器が制御される。【選択図】図１
2006013996.tif 000002
【特許請求の範囲】
【請求項１】
パブリック網上に設けられ、複数のユーザからアップロードされたページ情報をネットワーク上のユーザ毎に用意されたページに公開するパブリックサーバと、
前記パブリック網に接続されたプライベート網上に設けられ、前記ページ情報の作成およびそのページ情報を構成する情報のうち非公開とする情報の指定を行うための各ユーザ毎の端末装置と、
前記プライベート網上に設けられ、ページ情報を作成するための入力画面を前記プライベート網を介して前記端末装置に送信し、前記端末装置により前記入力画面に基づいて作成され前記プライベート網を介して返信されたページ情報をデータベースに記憶するとともに、前記データベースに記憶されたページ情報を構成する情報のうち、前記端末装置から非公開とすることが指定された情報を除去したページ情報を作成して前記パブリックサーバにアップロードする各ユーザ毎のプライベートサーバと、
前記プライベート網上の前記プライベートサーバに接続された各ユーザ毎の制御対象機器とを備え、
第１のユーザのプライベートサーバは当該第１のユーザにより当該プライベートサーバ内に置かれた、非公開と指定されていない制御対象機器用制御情報を前記ページ情報に含めて前記パブリックサーバの当該第１のユーザのページに公開し、この公開された制御情報は、第２のユーザの指示に従って前記第１のユーザのページから当該第２のユーザのプライベートサーバに取り込まれ、前記第２のユーザの指示に従って前記制御情報により前記第２のユーザの制御対象機器が制御される
ことを特徴とする情報処理システム。
【請求項２】
前記制御対象機器はロボットであり、前記制御情報は前記ロボットを操作するための制御情報である請求項１記載の情報処理システム。
【請求項３】
前記制御対象機器は演出情報に従ってコンテンツを再生することができるコンテンツ再生装置であり、前記制御情報は演出情報である請求項１記載の情報処理システム。
【請求項４】
制御対象機器を含むパブリック網とプライベート網とに接続されたサーバであって、
ページ情報を作成するための入力画面を前記プライベート網を介して前記端末装置に送信する手段と、
前記端末装置により前記入力画面に基づいて作成され前記プライベート網を介して返信されたページ情報を受信する手段と、
前記受信したページ情報を記憶するデータベースと、
前記データベースに記憶されたページ情報を構成する情報のうち、前記端末装置から非公開とすることが指定された情報を除去したページ情報を作成して前記パブリックサーバにアップロードする手段とを備え、
前記アップロードされる情報のうち、制御対象機器用制御情報は他のユーザがダウンロード可能としたことを特徴とするサーバ。
【請求項５】
前記制御対象機器はロボットであり、前記制御情報は前記ロボットを操作するための制御情報である請求項４記載のサーバ。
【請求項６】
前記制御対象機器は演出情報に従ってコンテンツを再生することができるコンテンツ再生装置であり、前記制御情報は演出情報である請求項４記載のサーバ。
【発明の詳細な説明】
【技術分野】
【０００１】
本発明は、複数のユーザのウェブログ等のページ情報を公開するパブリックサーバおよびこのパブリックサーバと接続されたプライベートサーバを有する情報処理システムに関するものである。
【背景技術】
【０００２】
従来、インターネット等のパブリック網（ネットワーク）上で利用できるサービスとして、ユーザ間のコミュニケーションを目的とするもの（例えば特許文献１参照）や、家庭内等にある機器の遠隔制御を目的とするもの（例えば特許文献２参照）、住所録、スケジュール帳、メモ帳等などの個人情報を管理するためのＰＩＭ（: Personal Information Manager）などがある。
【０００３】
ユーザ間のコミュニケーションを目的とするものとしては、ショートメッセージや電子メールの他、任意の参加者が情報を書き込むことができる掲示板（ＢＢＳ）、個人が日記等の任意の情報を公開して他者のコメントを得たりすることができるブログ（特許文献２参照）、などが挙げられる。ブログとは、Weblogの略称であり、ＨＴＭＬやプログラムの知識がなくても比較的容易に、日記、ニュース、レポート、アルバム、リンク集等を作成できるツールであり、作成されたウェブログはインターネット上で公開することができる。当該ブログページの訪問者はウェブログを閲覧したり、コメントを書き込んだり、自身のウェブログと相互にリンクを張ったりすることができる。
【特許文献１】特開２００１−３１８８７２号公報
【特許文献２】特開２００１−９４４８３号公報
【発明の開示】
【発明が解決しようとする課題】
【０００４】
上述したような機器の遠隔操作、ウェブログやＰＩＭ関連のデータ管理、メールやメッセージによるコミュニケーションはそれぞれ別のサービスとして提供されている。
【０００５】
したがって、サービス内容として機器操作やウェブログ、コミュニケーションはそれぞれ情報の面で関連があっても、それらを融合したシステムは存在しなかった。
【０００６】
また、機器の操作情報やコンテンツへ付加する演出情報など、他のユーザと分かち合いたい場合があるが、そのような共有を簡便に可能とする適当な手段が存在しなかった。
【０００７】
本発明はこのような背景においてなされたものであり、その目的は、ユーザが煩雑な操作を行うことなく、機器の操作情報やコンテンツヘの演出情報等の制御情報を他のユーザと共有することができる情報処理システムおよびサーバを提供することにある。
【課題を解決するための手段】
【０００８】
本発明による情報処理システムは、パブリック網上に設けられ、複数のユーザからアップロードされたページ情報をネットワーク上のユーザ毎に用意されたページに公開するパブリックサーバと、前記パブリック網に接続されたプライベート網上に設けられ、前記ページ情報の作成およびそのページ情報を構成する情報のうち非公開とする情報の指定を行うための各ユーザ毎の端末装置と、前記プライベート網上に設けられ、ページ情報を作成するための入力画面を前記プライベート網を介して前記端末装置に送信し、前記端末装置により前記入力画面に基づいて作成され前記プライベート網を介して返信されたページ情報をデータベースに記憶するとともに、前記データベースに記憶されたページ情報を構成する情報のうち、前記端末装置から非公開とすることが指定された情報を除去したページ情報を作成して前記パブリックサーバにアップロードする各ユーザ毎のプライベートサーバと、前記プライベート網上の前記プライベートサーバに接続された各ユーザ毎の制御対象機器とを備える。第１のユーザのプライベートサーバは当該第１のユーザにより当該プライベートサーバ内に置かれた、非公開と指定されていない制御対象機器用制御情報を前記ページ情報に含めて前記パブリックサーバの当該第１のユーザのページに公開する。この公開された制御情報は、第２のユーザの指示に従って前記第１のユーザのページから当該第２のユーザのプライベートサーバに取り込まれ、前記第２のユーザの指示に従って前記制御情報により前記第２のユーザの制御対象機器が制御される。
【０００９】
このシステムでは、プライベート網に接続された制御対象機器を保有しパブリックサーバに上にページ情報を公開している第１のユーザは、その制御対象機器の制御情報を生成または入手するだけで、煩雑な操作なしにパブリックサーバの自己のページ上に公開して他のユーザの利用に供することができる。第１のユーザと同じまたは同種の制御対象機器を保有する第２のユーザは、当該第１のユーザの公開しているページから制御情報をダウンロードして、その制御情報により自己の制御対象機器を同様に操作することができる。
【００１０】
前記制御対象機器は例えばロボットであり、前記制御情報は前記ロボットを操作するための制御情報である。あるいは、前記制御対象機器は演出情報に従ってコンテンツを再生することができるコンテンツ再生装置であり、前記制御情報は演出情報である。
【００１１】
本発明によるサーバは、制御対象機器を含むパブリック網とプライベート網とに接続されたサーバであって、ページ情報を作成するための入力画面を前記プライベート網を介して前記端末装置に送信する手段と、前記端末装置により前記入力画面に基づいて作成され前記プライベート網を介して返信されたページ情報を受信する手段と、前記受信したページ情報を記憶するデータベースと、前記データベースに記憶されたページ情報を構成する情報のうち、前記端末装置から非公開とすることが指定された情報を除去したページ情報を作成して前記パブリックサーバにアップロードする手段とを備え、前記アップロードされる情報のうち、制御対象機器用制御情報は他のユーザがダウンロード可能としたことを特徴とする。
【発明の効果】
【００１２】
本発明によれば、端末をパブリックサーバに接続することなくプライベート網内でページ情報を作成することができる。このため、パブリックサーバに対するアクセス数を減少させることができ、パブリックサーバの負担が軽減する分、パブリックサーバの動作効率の向上およびレスポンスの向上を図ることができる。
【００１３】
また、プライベートサーバはページ情報を構成する情報のうち、端末から非公開と指定された情報をページ情報から除去してパブリックサーバにアップロードするので、ユーザが公開を望まないプライベートな情報に対するセキュリティを確保した上で、第三者とのコミュニケーションを図ることができる。
【００１４】
プライベート網に接続された制御対象機器を保有しパブリックサーバ上にページ情報を公開している第１のユーザは、その制御対象機器の制御情報を生成または入手するだけで、煩雑な操作なしにパブリックサーバの自己のページ上に公開して他のユーザの利用に供することができる。
【発明を実施するための最良の形態】
【００１５】
以下、本発明の好適な実施の形態について図面を参照しながら詳細に説明する。
【００１６】
図１は、本発明の実施の形態によるシステムの概略構成を示す図である。宅内等に設けられた特定のユーザのみが利用するプライベート網１３と、インターネット等の不特定多数のユーザが利用するパブリック網２１とが相互に接続されている。
【００１７】
パブリック網２１には、パブリックサーバ２５が接続され、さらに、各種モバイル機器２３が接続されうる。パブリックサーバ２５は、複数のユーザの各々の日記等のページ情報（本実施の形態ではウェブログ）を、通常、不特定多数の者がアクセス可能に、ネットワーク上のユーザ毎に用意されたページに公開する。モバイル機器２３は携帯電話機、ＰＤＡ（Personal Digital Assistant）等の携帯可能な機器であり、モバイルネットワークを介してパブリック網２１に接続される。パブリックサーバ２５は、各種データ等を記憶する記憶装置２６を備えている。
【００１８】
プライベート網１３には、プライベートサーバ１１と、遠隔制御可能な各種の制御対象機器としての、撮影機能を有するロボット１４、ＨＤＤ／ＤＶＤレコーダ１６、プライベートサーバ１１の端末装置（単に端末ともいう）としても機能する録画機能付きパーソナルコンピュータ（ＰＣ）１５、等が接続されている。プライベートサーバ１１は、各種データを記憶するデータベース１２を備えている。データベース１２には、パブリックサーバ２５やモバイル機器２３との間で送受信した情報およびその履歴、各種制御対象機器との間で送受信した情報およびその履歴等の「通信に関する全ての情報」を記憶するようになっている。このデータベース１２には、アドレス帳、スケジュール帳、電話帳、住所録等の個人情報（ＰＩＭ情報）も記憶され得る。このデータベース８に記憶された個人情報に対しては、第三者はアクセスすることができず、セキュリティの高いシステムが構築されている。
【００１９】
プライベートサーバ１１は、ユーザにより作成されたウェブログを、データベース１２に記憶すると共に、そのウェブログの少なくとも一部をパブリックサーバ２５の自分用の記憶領域（ウェブページ）にアップロードするようになっている。このウェブログの編集等を行う場合、ユーザは、プライベートサーバ１１のデータベース１２に記憶されているウェブログに対して編集作業を施し、パブリックサーバ２５にアクセスすることなくウェブログの編集作業等を行うことが可能となっている。
【００２０】
ユーザがパブリックサーバ２５に対してウェブログをアップロードする際、公開する情報または非公開とする情報を指定することが可能となっており、プライベートサーバ１１は公開する情報のみをパブリックサーバ２５にアップロードし、プライベートな情報は公開しない。
【００２１】
プライベートサーバ１１のユーザは、パブリックサーバ２５上の他のユーザのページに公開された共有情報を自分のプライベートサーバ１１に取り込んで、利用することができる。そのような共用情報としては、放送番組の録画予約のための録画情報、制御対象機器の機器操作情報、コンテンツの再生（鑑賞）時の演出情報などである。本明細書における演出情報とは、コンテンツを見る際に早送りや一時停止、コンテンツ上にコメントを付加する、スタンプや背景等の画像合成などの処理などにより加工を行ったときの、その操作、編集情報をいう。演出情報の他の用途としては、例えば、複雑でわかり難い操作を教えるとき、ＴＶ番組のスケジュール変更による録画設定の修正を他のユーザに伝える、ＴＶ番組や個人で作成したコンテンツに対して、あるユーザが見ながら追加した演出情報を共有する、宅内のネットワークロボットの操作データを共有する、あるコンテンツに対するチェックポイントや強調などに関する再生装置の操作情報を共有する、などが挙げられる。このような演出情報は機器操作のログ情報として取得することができる。
【００２２】
以下、本実施の形態におけるシステムの動作を説明する。
【００２３】
まず、パブリックサーバ２５で提供されているウェブログサービスを利用する場合、最初に、ユーザは、ＰＣ１５等の端末を操作してパブリックサーバ２５との間で通信回線の確立を図る。この通信回線の確立の際、本システムにおいては、端末とパブリックサーバ２５との間で直接的な通信回線の確立は図られず、一旦、プライベート網１３を介して端末とプライベートサーバ１１との間で通信回線が確立され、その後、パブリック網２１を介してプライベートサーバ１１とパブリックサーバ２５との間で通信回線が確立される。すなわち、プライベート網１３内の端末はプライベートサーバ１１を介して間接的に、パブリック網２１上のパブリックサーバ２５と接続するようになっている。
【００２４】
パブリックサーバ２５との間で通信回線が確立されると、ユーザは、端末を操作してパブリックサーバ２５からユーザ識別番号（ユーザＩＤ）の発行を受けると共に、暗証番号（パスワード）の登録を行う。このユーザＩＤおよびパスワードに基づいてパブリックサーバ２５に対してログインを行う。ログインがなされると、パブリックサーバ２５はプライベートサーバ１１に対して当該ウェブサイトの先頭ページとなるページ設定画面を送信する。プライベートサーバ１１はこのページ設定画面をデータベース１２に記憶するとともに、ユーザの端末に送信する。これにより、ユーザの端末の表示画面に対してパブリックサーバ２５が提供しているウェブログのウェブサイトのページ設定画面が表示される。
【００２５】
図２に、ユーザの端末のウェブブラウザで表示されたページ設定画面の一例を示す。このページ設定画面の例では、表示領域のほぼ上側に設けられたサイト名の表示領域１１１には「設定ページ」という、パブリックサーバ２５が各登録ユーザに対して提供しているウェブログサービスのページ名称が表示されている。また、設定ページの表示領域１１２には、ウェブログを新規に投稿する際に選択するメニュー項目（Ｅｎｔｒｙの新規作成）、投稿済のウェブログの編集を行う際に選択するメニュー項目（Ｅｎｔｒｙの編集）、投稿するウェブログに添付するファイルをアップロードする際に選択するメニュー項目（ファイルのＵＰＬＯＡＤ）、投稿するウェブログの所望のテンプレートを編集する際に選択するメニュー項目（Ｔｅｍｐｌａｔｅの編集）等が表示されている。また、設定ページの表示領域１１３には、「最近のエントリー」として、投稿時間が新しい順に各投稿のタイトル（「暴風雨の後晴れ・・・」、「横須賀線・・・」、等）が表示されている。
【００２６】
ウェブログの投稿を行う場合、ユーザは端末を操作して、このページ設定画面の「Ｅｎｔｒｙの新規作成」のメニュー項目を選択する。この選択がなされると、パブリックサーバ２５からプライベートサーバ１１に対してウェブログのテンプレート（ウェブログの入力画面）が送信される。プライベートサーバ１１は、このウェブログのテンプレートをデータベース１２に記憶するとともに、プライベート網１３を介して端末に送信する。これにより、ユーザの端末の表示画面に、パブリックサーバ２５から送信されたウェブログの入力画面が表示される。
【００２７】
なお、テンプレートとしては、通常、パブリックサーバ２５側でデフォルトとして用意されているテンプレートの画面がプライベートサーバ１１に対して送信されるが、前記「Ｔｅｍｐｌａｔｅの編集」でユーザが所望の編集を行った場合、この編集されたテンプレートが、パブリックサーバ２５からプライベートサーバ１１に送信されることになる。
【００２８】
前述のように、パブリックサーバ２５から送信されたウェブログの入力画面はデータベース１２に記憶される。このため、一旦、ウェブログの入力画面がデータベース１２に記憶されれば、以後、パブリックサーバ２５との間の通信回線を切断した状態で、プライベート網１３内でウェブログの入力作業を行うことが可能となる。具体的には、ユーザは、ウェブログの入力画面がデータベース１２に記憶された後に、端末を操作してパブリックサーバ２５とプライベートサーバ１１との間に確立されている通信回線を切断処理する。
【００２９】
次に、ユーザは端末を操作してプライベートサーバ１１にアクセスし、ウェブログの入力画面の転送を指定する。この指定がなされると、プライベートサーバ１１はデータベース１２に記憶されているウェブログの入力画面を読み出し、これをプライベートサーバ１１を介して端末に送信する。これにより、端末の表示画面に、データベース１２に記憶されていたウェブログの入力画面が表示される。
【００３０】
図２の例では、画面右下に、ダウンロード対象の機器操作情報の所在（ＵＲＬ）を入力する機器操作情報入力領域１１５を設けている。機器操作情報入力領域１１５にはユーザが手入力でＵＲＬを入力することができるが、後述するように、他のユーザのウェブページに公開されている機器操作情報を所定の操作（例えば所定のアイコンや文字等をドラッグアンドドロップ操作）により、手入力することなく取り込むことも可能である。ユーザは一旦取り込んだ機器操作情報を用いて、その機器操作情報に従う制御対象機器の操作を指示することができる。
【００３１】
図３に、端末のウェブブラウザで表示された前記ウェブログの閲覧ページの一例を示す。この閲覧ページは「○○ブログ」というサイト名の表示領域１２１と、該当月のカレンダーの表示領域１２２と、パブリックサーバ２５にログインする際に暗証番号の入力を行う入力領域１２４、制御対象機器（ここでは録画装置）の操作のための表示領域１２５、検索エンジンを利用する際に検索ワードの入力を行うための検索ワードの入力領域１２７、ユーザが所望のウェブログを構成するテキスト１３１の書き込みおよび画像１３２の貼り付け等を行うための書き込み領域１２８、機器操作情報等を表示する機器連携情報リストの表示領域１２９を有している。書き込み領域１２８には、本実施の形態で撮影機能を有するロボット１４の撮影画像が載せられる画像領域１３０も設けられている。
【００３２】
書き込み領域１２８はカレンダーで選択された日付毎に該当する別個の内容が切り替えられて表示されるようになっている。表示領域１２９の機器連携情報リストについても、放送番組の録画情報のように日付に関係づけられたコンテンツにおいては、カレンダーで選択された日付毎に内容が切り替わる（存在すれば）。但し、ロボットの操作情報のように直接日付と関係のない情報についてはカレンダーで選択された日付にかかわらず、常時表示領域１２９に表示するようにしてもよいし、作成日またはページへの載置日に対応づけるようにしてもよい。また、ビデオの撮影画像データ等のように撮影日時が記録されているものについては、カレンダーの日付の切替に応じて選択されるようにしてもよいし、カレンダーの日付に無関係に選択されるようにしてもよい。リスト項目が多く、表示領域１２９内に収納しきれなくない場合は、スクロールバー（図示せず）が表示され、領域内のリスト項目をスクロールしてみることができる。
【００３３】
ユーザは書き込み領域１２８に情報を入力するには、前述した設定ページの「Ｅｎｔｒｙの新規作成」からテキストの入力画面を開いてテキストの書き込みを行ったり、画像の貼り付けを行うと、それらの情報が図３の閲覧ページに反映されるようになっている。このような情報は一旦プライベートサーバ１１のデータベース１２に記憶され、パブリックサーバ２５に対してアクセスすることなく、プライベート網１３の中だけで完結することができる。
【００３４】
ユーザは、このように作成したウェブログをパブリックサーバ２５にアップロードする場合、端末を操作して入力領域１２４において暗証番号を入力するとともにログイン操作を行う。暗証番号は一旦プライベートサーバ１１に送信される。このログインの指示がなされると、プライベートサーバ１１はパブリックサーバ２５との間で通信回線を確立し、ユーザにより入力された暗証番号に基づいてパブリックサーバ２５のウェブログシステムにログインする。このログイン後、ユーザにより作成されたウェブログをパブリックサーバ２５に対してアップロードする。これにより、ユーザが作成したウェブログがパブリックサーバ２５に取り込まれ、誰でも閲覧可能なようにネットワーク上で公開されることとなる。
【００３５】
なお、プライベートサーバ１１は、このようなウェブログ作成等における端末との間で行った通信の通信ログ、および、ログインやウェブログのアップロード等におけるパブリックサーバ２５との間で行った通信の通信ログを全てデータベース１２に記憶しておく。
【００３６】
ここで、図２に示す全体のウェブログのうち、ユーザはパブリックサーバ２５における自分の閲覧ページにおいて公開する情報としない情報とを、例えば、図２に示した設定ページから指定することができる。図示の例では、ロボット撮影画像を表示する画像領域１３０を非公開に設定してある。
【００３７】
このような指定がなされると、プライベートサーバ１１は、ユーザにより非公開が指定された領域を示す情報をデータベース１２に記憶する。この非公開領域の情報を除去した状態でパブリックサーバ２５にアップロードを行う。
【００３８】
このように、本実施の形態でのウェブログシステムは、ネットワークを用いたサービスとして、
Ａ．ネットワークを介した機器操作
Ｂ．ウェブログサービスに代表される情報の管理、発信、編集
を融合する。すなわち、個人情報と機器操作ログという２種類の情報を宅内のサーバで管理することができる。本発明では、さらに次の２点の機能を追加する。
ｉ．機器操作情報を他のユーザと共有する（共有方法としてはブログなどのＷｅｂによる情報配信を利用する）
ｉｉ．コンテンツの再生時にその内容に追加する演出情報を他のユーザと共有する（演出情報は、通常、ユーザが作ったもの）
【００３９】
項目ｉに関しては、機器操作時のログ情報を他のユーザと共有できるウェブページに載せることで配信し、受信する際にはデータをダウンロードし、各ユーザのサーバに情報読み込みのインターフェイスを追加することで、伝達が可能となる。この情報は、例えば予約録画の設定や変更であったり、宅内のロボット用の操作プログラムであったり、多様な機器操作に関連する情報である。
【００４０】
項目ｉｉはある共通のコンテンツをユーザＡとユーザＢで保持している場合、ユーザＡがコンテンツを見る際に早送りや、一時停止、コンテンツ上にコメントを付加する、スタンプや背景等の画像合成などの処理などにより加工を行ったときに、その操作、編集情報を再生時の演出情報として共有するという機能である。
【００４１】
その他、ユーザがコンテンツに関連するリンク情報（例えば旅行番組でその地方に関する別のイベント情報など）を、そのコンテンツの演出情報として自分のページに追加したり、ＴＶ番組情報の供給側がＴＶ番組であれば自動的にスポンサーの情報を演出情報として用意されたものを追加することも可能である。
【００４２】
図４は、パブリックサーバ２５上に公開されたユーザ（ユーザＡとする）の閲覧ページを示している。前述のように図３に示した画面における画像領域１３０は非公開の設定となっているので、図４の画面には現れていない。暗証番号の入力領域１２４はログイン後の画面には必要ないのでこの閲覧ページには現れていない。その機器関連情報リストの表示領域１２９には、特定のコンテンツ（ここではテレビ番組）に対する演出情報が載せられている。この例では非公開となっていないので、パブリックサーバ２５にアップロードされ、同ユーザの閲覧ページに表示されている。
【００４３】
図５は他のユーザ（ユーザＢとする）のパブリックサーバ２５上に公開された閲覧ページの例を示している。ページのレイアウトはユーザが変更可能であり、図３の閲覧ページのレイアウトとは異なっている。図５の閲覧ページ内の機器連携情報リストの表示領域１２９には機器操作情報（ここではロボット１４に逆立ち挨拶をさせるロボット操作プログラム）としての「制御情報」が公開されている。このような制御情報は、ロボット１４の実際の操作のログ情報として自動的に取り込まれ、または、予め作成されたプログラムとしてプライベートサーバ１１内にインストールされる。そのプログラムの名称はプログラムの作成、保存時、あるいはログ情報の保存時にユーザが付与することができる。ユーザが付与しない場合には予め定めた規則にしたがって決定された名称が自動的に付与される。
【００４４】
今、ユーザＡがユーザＢの閲覧ページから、ユーザＢのアップロードしている制御情報を利用する場合を考える。そのためのユーザインタフェースとしては幾つかの方法が考えられる。例えば、ユーザＡは自己の設定ページ内の機器操作情報入力領域１１５（図２）にユーザＢの公開している制御情報等のＵＲＬを直接手入力し、プライベートサーバ１１に、当該ＵＲＬの情報をダウンロードさせることができる。また、図７に示すように、ユーザＢの閲覧ページ（図５）とともにユーザＡの設定ページ（図２）を同時に表示画面内の別の領域に表示させておき、ユーザＡがマウス等のポインティングデバイスを用いてタイトル１２９ａまたは情報種別表示ボタン１２９ｂを設定ページの機器操作情報入力領域１１５にいわゆるドラッグ＆ドロップすることにより、機器操作情報をユーザＡのプライベートサーバにダウンロードすることも可能である。そのためには、パブリックサーバ２５にアップロードされた制御情報（または演出情報）には、プライベートサーバ１１がアップロードを行う際に、そのようなダウンロード操作を可能とするための既知の記述（例えばＲＳＳ： Rich Site Summaryを利用した記述）を付加する。当該情報のタイトル（文字列）をユーザＡが指示（クリック）したとき、その制御情報の説明、その制御情報のＵＲＬ等を含むウィンドウを表示するようにしてもよい。
【００４５】
本発明ではパブリックサーバ２５からプライベートサーバ１１に制御情報や演出情報を取り込む場合には、それらの情報の実体情報をパブリックサーバ２５内にダウンロードして記憶し、以後、パブリックサーバ２５にアクセスすることなくそれらの情報を利用できるようにする。
【００４６】
なお、他のユーザのプライベートサーバ１１からパブリックサーバ２５にアップロードされている録画情報もダウンロードすることが可能であるが、現時点が放送時間を過ぎていない場合のみ、それを録画予約情報として利用できる。放送時間を過ぎている場合には録画予約のための情報としては利用できない。
【００４７】
図６は、ユーザＡの情報をユーザＢが利用する場合の典型的な操作の流れを示した図である。ユーザＡのプライベートサーバ１１はユーザＡの指示操作に応じてユーザＡの制御対象機器を制御する（Ｓ１）。この制御は、ユーザＡが端末（またはモバイル機器）から行う場合および制御対象機器自身に対して行う場合のいずれをも含みうる。この指示操作の手順はログ情報としてプライベートサーバ１１が記録して保存する（Ｓ２）。ユーザＡがこの情報を非公開としなければ（Ｓ３）、パブリックサーバ２５にアップロードされユーザＡの閲覧ページに公開される（Ｓ４）。このユーザＡのページを閲覧したユーザＢが当該情報をダウンロードする指示を行うと（Ｓ５）、当該情報がユーザＢのプライベートサーバ１１内にダウンロードされる（Ｓ６）。ユーザＢはこの情報を利用したときは、この情報で同種の制御対象機器を制御することができる（Ｓ７）。この制御は、プライベートサーバ等から遠隔的に制御する場合と、制御情報を一旦当該制御対象機器に送って記憶させ、ローカルに制御を行う場合とがありうる。
【００４８】
これにより、同情報でユーザＡが享受した機器操作と同じ操作を、ユーザＢが手動操作することなく再現することができる。なお、ユーザＢが同情報をダウンロードするのは、同情報で制御される制御対象機器がユーザＢのプライベート網に接続されていることが前提である。もし、所有しない機器の制御情報がダウンロードされたとしても、その情報は機能しないだけである。
【００４９】
以上、本発明の実施の形態によれば、機器操作、情報管理、コミュニケーションを融合したサービスに、機器操作やコンテンツ再生時の演出などの情報を共有する機能を付加することができる。
【００５０】
以上、本発明の好適な実施の形態について説明したが、上記で言及した以外にも種々の変形、変更を行うことが可能である。例えば、プライベートサーバ１１と、ユーザが操作する端末（ＰＣ１５）とを物理的に異なるコンピュータ装置として説明したが、同一のコンピュータ装置を用いて実現してもよい。制御対象機器として、ロボットおよびＨＤＤ／ＤＶＤレコーダを示したが、他の任意の電子機器であってよい。
【図面の簡単な説明】
【００５１】
【図１】本発明の実施の形態によるシステムの概略構成を示す図である。
【図２】本発明の実施の形態における、ユーザの端末のウェブブラウザで表示されたページ設定画面の一例を示す図である。
【図３】本発明の実施の形態における、端末のウェブブラウザで表示された前記ウェブログの閲覧ページの一例を示す図である。
【図４】本発明の実施の形態における、パブリックサーバ上に公開されたユーザの閲覧ページを示す図である。
【図５】本発明の実施の形態における、パブリックサーバ上に公開された他のユーザの閲覧ページの例を示す図である。
【図６】本発明の実施の形態において、パブリックサーバを介して、あるユーザの情報を他のユーザが利用する場合の典型的な操作の流れを示した図である。
【図７】本発明の実施の形態において、ドラッグ＆ドロップ操作により、機器操作情報をユーザＡのプライベートサーバにダウンロードする様子を示す図である。
【符号の説明】
【００５２】
８…データベース、１１…プライベートサーバ、１２…データベース、１３…プライベート網、１４…ロボット、１６…ＨＤＤ／ＤＶＤレコーダ、２１…パブリック網、２３…モバイル機器、２３…各種モバイル機器、２５…パブリックサーバ、２６…記憶装置、１１１…表示領域、１１２…表示領域、１１３…表示領域、１１５…機器操作情報入力領域、１２１…表示領域、１２２…表示領域、１２４…入力領域、１２５…表示領域、１２７…入力領域、１２８…書き込み領域、１２９…表示領域、１２９ａ…タイトル、１２９ｂ…情報種別表示ボタン、１３０…画像領域、１３１…テキスト、１３２…画像
【図１】
2006013996.tif 000003
【図２】
2006013996.tif 000004
【図３】
2006013996.tif 000005
【図４】
2006013996.tif 000006
【図５】
2006013996.tif 000007
【図６】
2006013996.tif 000008
【図７】
2006013996.tif 000009